(57)【要約】【課題】  回転体を所定の角度に保持可能とする。【解決手段】  断面内周が円形のケース７と、ケース７に同心状に配置されたシャフト９と、シャフト９に支持されたウレタンピン３７と、ケース７の内周に周方向部分的に形成されウレタンピン３７を自由側状態としてケース７及びシャフト９間の相対回転を容易とする凹領域とウレタンピン３７を撓めケース７及びシャフト９間の相対回転に回転抵抗を与える凸領域を設け、ケース７とシャフト９との間に、流体剪断抵抗によりトルクを発生させる回転ダンパー構造１１を設け、ケース７をノート型パソコンの本体部に結合し、シャフト９に画像表示可能なディスプレイ部を結合したことを特徴とする。【選択図】  図２
2007024289.tif 000002
【特許請求の範囲】
【請求項１】
断面内周が円形のケースと、
前記ケースに同心状に配置されたシャフトと、
前記ケースの内周又はシャフトの外周の一方側に支持された弾性体と、
前記ケースの内周又はシャフトの外周に周方向部分的に形成され前記弾性体を自由側状態又は圧縮状態として前記ケース及びシャフト間の相対回転を許す回転許容領域と前記弾性体を撓め又は伸長させて前記ケース及びシャフト間の相対回転を位置決める位置決め領域を設けた
ことを特徴とするフリー・ストップ装置。
【請求項２】
断面内周が円形のケースと、
前記ケースに同心状に配置されたシャフトと、
前記ケースの内周又はシャフトの外周の一方側に支持された弾性体と、
前記ケースの内周又はシャフトの外周に周方向部分的に形成され前記弾性体を自由側状態として前記ケース及びシャフト間の相対回転を容易とする凹領域と前記弾性体を撓め前記ケース及びシャフト間の相対回転に回転抵抗を与える凸領域を設けた
ことを特徴とするフリー・ストップ装置。
【請求項３】
請求項１又は２記載のフリー・ストップ装置であって、
前記ケースとシャフトとの間に、流体剪断抵抗によりトルクを発生させる回転ダンパー構造を設けた
ことを特徴とするフリー・ストップ装置。
【請求項４】
請求項１〜３の何れかに記載のフリー・ストップ装置であって、
前記ケース及びシャフトの一方を、固定側及び回転体の一方に結合し、同他方を、固定側及び回転体の他方に結合した
ことを特徴とするフリー・ストップ装置。
【請求項５】
請求項４記載のフリー・ストップ装置であって、
前記固定側は、ノート型パソコンの本体部であり、前記回転体は、前記本体部に回転開閉可能に取り付けられたディスプレイ部である
ことを特徴とするフリー・ストップ装置。
【請求項６】
請求項４記載のフリー・ストップ装置であって、
前記本体部及びディスプレイ部間に、該ディスプレイ部を本体部に対する閉じ状態から同所定角度の開き状態へ跳ね上げる付勢部材を設けた
ことを特徴とするするフリー・ストップ装置。
【発明の詳細な説明】
【技術分野】
【０００１】
本発明は、ノート型パソコンのディスプレイ等の回動を制御するフリー・ストップ装置に関する。
【背景技術】
【０００２】
従来、例えばノート型パソコンのディスプレイ部は、本体部に回転開閉自在に支持され、本体部に対しディスプレイ部を開くと任意の位置で開姿勢を保持させることができる。
【０００３】
しかし、ユーザは、ほとんど閉じ状態からディスプレイ部を開き操作しなければならず、操作が煩雑であった。
【０００４】
【特許文献１】特開２００３−９０３２８号公報
【発明の開示】
【発明が解決しようとする課題】
【０００５】
解決しようとする問題点は、回転体を所定の角度に保持する操作が煩雑な点である。
【課題を解決するための手段】
【０００６】
本発明は、回転体を所定の角度に保持する操作をより簡単とするため、ケースの内周又はシャフトの外周の一方側に支持された弾性体と、ケースの内周又はシャフトの外周に周方向部分的に形成され前記弾性体を自由側状態又は圧縮状態として前記ケース及びシャフト間の相対回転を許す回転許容領域と前記弾性体を撓め又は伸長させて前記ケース及びシャフト間の相対回転を位置決める位置決め領域を設けたことを最も主要な特徴とする。
【発明の効果】
【０００７】
本発明のフリー・ストップ装置は、ケースの内周又はシャフトの外周の一方側に支持された弾性体と、ケースの内周又はシャフトの外周に周方向部分的に形成され前記弾性体を自由側状態又は圧縮状態として前記ケース及びシャフト間の相対回転を許す回転許容領域と前記弾性体を撓め又は伸長させて前記ケース及びシャフト間の相対回転を位置決める位置決め領域を設けたため、回転体をある区間では回転容易とし、他の区間では回転抵抗を与えて位置決めることができる。
【発明を実施するための最良の形態】
【０００８】
回転体を所定の角度に保持する操作をより簡単にするという目的を、弾性体を用いることで実現した。
【実施例１】
【０００９】
［適用回転体］
図１は、本発明のフリー・ストップ装置を適用したノート型パソコンに係り、（ａ）は動作状態を併せて示す側面図、（ｂ）は、平面図である。
【００１０】
図１のように、ノート型パソコン１は、ＣＰＵ、メモリ、ハード・ディスク、キー操作部を備えた固定側としての本体部２に、画面表示可能な回転体としてのディスプレイ部３をヒンジ部により回転開閉自在に支持したものである。例えば、収納時はディスプレイ部３が本体部２上に閉じられ、使用に際してロックを外すとディスプレイ部３が本体部２上からオイル・ダンパー範囲Ａを上方へ跳ね上げにより自動的に開き回動し、フリー・ストップ範囲Ｂにおいて所定の角度状態に任意にセットすることができる。
【００１１】
かかる、ディスプレイ部３の自動的な開き回動及び任意セットは、以下の構造により行われる。
【００１２】
前記ディスプレイ部３は、前記本体部２に対し、一方のヒンジ部でフリー・ストップ装置５により結合支持され、他方のヒンジ部に付勢部材としてコイル・スプリング６が設けられている。従って、ディスプレイ部３は、本体部２に対する閉じ状態でロックを外すとコイル・スプリング６の付勢力によりオイル・ダンパー範囲Ａで跳ね上げられ、フリー・ストップ装置５によりフリー・ストップ範囲Ｂにおいて所定の角度状態に任意にセットすることができる。
【００１３】
前記フリー・ストップ装置５には、本実施例において、後述するように、流体剪断抵抗によりトルクを発生させる回転ダンパー構造が設けられている。
【００１４】
［フリー・ストップ装置］
前記フリー・ストップ装置５は、図２〜図５のようになっている。図２は、フリー・ストップ装置５の断面図、図３は、図２のＩＩＩ−ＩＩＩ線矢視におけるオイル・ダンパー範囲での断面図、図４は、図２のＩＩＩ−ＩＩＩ線矢視におけるフリクション範囲での断面図、図５は、図２のＶ−Ｖ線矢視断面図である。
【００１５】
図２のように、フリー・ストップ装置５は、ケース７とシャフト９とを備え、ている。ケース７とシャフト９との間には、ケース７及びシャフト９間の相対回転に回転抵抗を与えることが可能なフリー・ストップ構造１０及び流体剪断抵抗によりトルクを発生させる回転ダンパー構造１１が設けられている。
【００１６】
前記ケース７及びシャフト９の一方、例えばケース７は、前記本体部２側に結合固定され、同他方、例えばシャフト９には、回転体であるディスプレイ部３が結合されている。
【００１７】
図２，図３のように、ケース７は、断面内周及び外周が円形に形成され、一端に開口１３を備え、他端に端壁１５が設けられている。開口１３には、キャップ１７が螺合により取り付けられている。キャップ１７には、貫通孔１９が設けられている。
【００１８】
前記ケース７には、フリー・ストップ構造１０側において、回転許容領域として凹領域２１及び位置決め領域として凸領域２３が周方向例えば４５°配置で交互に設けられている。凹領域２１及び凸領域２３の周方向の長さは、本実施例においてほぼ同一に設定され、凹領域２１は、前記オイル・ダンパー範囲Ａに形成され、凸領域２３は、前記フリー・ストップ範囲Ｂに形成されている。但し、凹領域２１及び凸領域２３の周方向の長さの設定は自由である。
【００１９】
前記ケース７には、回転ダンパー構造１１側において、図２，図５のように端壁１５から軸方向に突出するケース側軸部２５及びケース側筒部２７が設けられている。ケース側筒部２７には、適所にオイル流通用の孔２８が設けられている。
【００２０】
前記シャフト９は、図２のように中間部に回転支持用の回転支持部２９を備え、該回転支持部２９が、ケース７の内周に回転自在に支持されている。回転支持部２９には、凹部３０が周回状に設けられている。凹部３０内にオー・リング３１が収容支持され、該オー・リング３１がケース７内周面に密接している。従って、回転支持部２９によりケース７内がフリー・ストップ構造１０側と回転ダンパー構造１１側とに区画され、回転ダンパー構造１１側のダンパー室３２には、粘性流体として例えばシリコン・オイルが収容されている。
【００２１】
前記シャフト９には、図２〜図４のように、フリー・ストップ構造１０側に突出するピン支持部３３が設けられている。ピン支持部３３の直径は回転支持部２７と同一である。ピン支持部３３には、外周面に支持凹部３５が設けられている。支持凹部３５は、断面が円形に倣って形成され、ピン支持部３３に周方向
１８０°配置で一対、軸方向に沿って設けられている。支持凹部３５には、弾性体であるウレタン・ピン３７がそれぞれ収容支持されている。ウレタン・ピン３７は、ウレタン樹脂により形成されて断面が円形を呈し、弾性的に撓むことが可能である。ウレタン・ピン３７には、周溝３８が所定間隔で形成され、弾性変形時のケース７内面に対する面圧を高めるようにしている。
【００２２】
前記シャフト９には、ピン支持部３３の軸心部を貫通する結合板３９が固定されている。結合板３９の端部は、キャップ１７の貫通孔１９からケース７外へ突出している。
【００２３】
前記シャフト９には、図２，図５のように、ダンパー室３２内において、内外二重のシャフト側筒部４１，４３が設けられている。シャフト側筒部４１，４３には、適所にオイル流通用の孔４５，４７が設けられている。シャフト側筒部４１は、前記ケース側軸部２５及びケース側筒部２７間に嵌合し、シャフト側筒部４３は、ケース側筒部２７及びケース７内周面間に嵌合している。
【００２４】
前記構成のフリー・ストップ装置５は、ケース７が図１の本体部２に固定支持され、結合板３９にディスプレイ部３が結合支持されている。
【００２５】
［フリー・ストップ装置の作用］
ディスプレイ部３が図１の閉じ状態で本体部２にロックされているとき、ケース７に対するシャフト９の回転方向位置は、図３の状態となっている。従って、ウレタン・ピン３７は、凹領域２１に存在し、円形状態を保つ自由側状態となっている。このため、ウレタン・ピン３７とケース７内周面との間にフリクション作用が殆ど無く、本体部２に対するディスプレイ部３のロックを外すとディスプレイ部３はコイル・スプリング６の付勢力によりオイル・ダンパー範囲Ａで跳ね上げられ、上方へ開き回動する。このとき閉じ状態からオイル・ダンパー範囲Ａにおいては、回転ダンパー構造１１の流体剪断抵抗によりトルクが発生する。
【００２６】
すなわち、ディスプレイ部３の開き回動により結合板３９を介してシャフト９が回転する。シャフト９の回転によりシャフト側筒部４１，４３が、ケース側軸部２５，ケース側筒部２７，及びケース７内周面に対して相対回転する。この相対回転により内部のシリコン・オイルが粘性剪断抵抗を発生させ、ディスプレイ部３の下降回転に抗するトルクが発生する。
【００２７】
このトルクにより、オイル・ダンパー範囲Ａでのディスプレイ部３のコイル・スプリング６による跳ね上げ回動をダンピングし、ディスプレイ部３を滑らかに自然に上昇開き回動させることができる。
【００２８】
ディスプレイ部３が、オイル・ダンパー範囲Ａを上昇回転しきるとウレタン・ピン３７が、凸領域２３に当接する。この当接によりケース７に対するシャフト９の回転が停止し、ディスプレイ部３がオイル・ダンパー範囲Ａの上限位置で停止保持される。
【００２９】
ついで、ユーザがディスプレイ部３を押してさらに回転させ、フリー・ストップ範囲Ｂへ移行させると、ウレタン・ピン３７が図４のように凸領域２３に乗り上げて弾性的に撓む。この撓みによりウレタン・ピン３７と凸領域２３との間にフリクションが発生し、ケース７に対するシャフト９の相対回転に回転抵抗が与えられる。
【００３０】
従って、ディスプレイ部３から手を離すとウレタン・ピン３７と凸領域２３との間のフリクションにより、ディスプレイ部３が、その位置に位置決め保持される。このディスプレイ部３の位置決めは、ウレタン・ピン３７と凸領域２３との間のフリクションが発生するフリー・ストップ範囲Ｂの任意の位置で行わせることができる。
【００３１】
このような、ディスプレイ部３の位置決めにより、ユーザはディスプレイ部３を好みにあった角度に設定して見ることができる。
【００３２】
すなわち、オイル・ダンパー範囲Ａでは、ダンピングを働かせてディスプレイ部３を滑らかに自然に跳ね上げ回動させ、フリー・ストップ範囲Ｂでは、ディスプレイ部３を任意の位置に位置決めることができ、極めて便利である。
【００３３】
図６，図７は、本実施例の変形例にかかり、図６は、図２のＩＩＩ−ＩＩＩ線矢視におけるオイル・ダンパー範囲での図３に対応した断面図、図７は、図２のＩＩＩ−ＩＩＩ線矢視におけるフリクション範囲での図４に対応した断面図である。
【００３４】
本変形例では、凸領域２３に、複数のクリック凹部４９を設けたものである。従って、フリー・ストップ範囲Ｂでは、ウレタン・ピン３７がクリック凹部４９に嵌合して位置決められ、フリー・ストップ範囲Ｂでディスプレイ部３にクリック動作的な位置決めを行わせることができる。
【００３５】
なお、凹領域２１，凸領域２３をシャフト９側に設け、ウレタン・ピン３７をケース７内周面に支持する構成にすることもできる。ウレタン・ピン３７は、チェック・ボール式の構成にすることも可能である。すなわち、支持凹部３５に代えて半径方向の孔を形成し、孔の奥側からコイル・スプリング等の弾性体、ボール又は弾丸形状のチェック体を収容支持し、チェック体をケース７の凸領域２３に弾接させ、或いはクリック凹部４９にクリック嵌合させて位置決める構成にすることもできる。この場合、ケース７の内周は特に凹凸領域２１，２３に区別せずに均一断面とし、位置決め領域となる部分に前記凹部４９を複数形成し、上記とは逆に弾性体であるコイル・スプリング伸長時にチェック体を凹部４９に係合させて位置決めることも可能である。回転許容領域では、チェック体がコイル・スプリングの撓みによりケース７内周面に弾接するが、ダンピング力とチェック体弾接によるフリクションとの調和を図ることで、回転許容領域での滑らかな自然な回動を得ることはできる。なお、孔と弾性体及びチェック体との配置は、ケース７側とシャフト９側との何れにも可能であることは前記同様である。
【００３６】
適用する回転体は、ノート型パソコンのディスプレイ部に限らず、フリー・ストップを必要とする構造に広く用いることができる。
【００３７】
回転ダンパー構造１１は、必要に応じて設ければよく、省略することも可能である。
【実施例２】
【００３８】
図８，図９は、本発明の実施例２に係り、図８は、フリー・ストップ装置の断面図、図９は、図８のＩＸ−ＩＸ線矢視における図５に対応したオイル・ダンパー範囲での断面図である。なお、基本的な構造は実施例１と同様であり、同一又は対応した構成部分には同符号又は同符号にＡを付して説明する。
【００３９】
本実施例のフリー・ストップ装置５Ａは、回転ダンパー構造１１Ａを変更した。他の構造は実施例１と同様であり、実施例１同様にディスプレイ部３の動作制御に適用されている。
【００４０】
図８，図９のように、回転ダンパー構造１１Ａは、ケース７Ａとシャフト９Ａとの間に、ベーン５１と流体通路５３と弁体５５とを備え、内部に粘性流体として例えばシリコン・オイルが充填されたものである。回転ダンパー構造１１Ａは、いわゆるシングル弁タイプであり、オイル・ダンパー範囲Ａ及びフリー・ストップ範囲Ｂを合わせた回転角が、例えば１８０°程度のものに適している。
【００４１】
前記シャフト９Ａは、小径部５７を一体に有している。小径部５７は、前記ダンパー室３２Ａ内に挿入配置されている。小径部５７には、外周部一側に軸心方向に沿って係合突部５９が設けられ、該係合突部５９に、流通凹部６１が形成されている。
【００４２】
前記ベーン５１は、樹脂などにより形成されている。ベーン５１は、前記小径部５７に回転係合し前記ダンパー室３２Ａを第１室である圧力室６３及び第２室である非圧力室６５に区画すると共に小径部５７の回転に応じて圧力室６３側又は非圧力室６５側へ旋回移動可能となっている。
【００４３】
ベーン５１は、全体が矩形体状に形成され、前記ダンパー室３２Ａの軸方向長さと同等の長さを備えている。ベーン５１の外周には、円弧状の摺接面６７が形成され、ダンパー室３２Ａの内周面６９に密接し且つ摺動可能となっている。
【００４４】
ベーン５１には、係合凹部７１が設けられている。係合凹部７１は、前記係合突部５９の断面形状に対応した断面形状に形成され、該係合凹部７１に前記係合突部５９が嵌入係合している。
【００４５】
前記流体通路５３は、ベーン５１に設けられ、前記圧力室６３及び非圧力室６５を連通させている。流体通路５３は、係合凹部７１を含め、その両側に形成された凹部状の通路７３及び長穴状の通路７５と通路７５に隣接形成された弁体配置空間７７と弁体配置空間７７に隣接形成された開口状の通路７９とからなっている。通路７３は、非圧力室６５側に連通し、通路７９は、圧力室６５側に連通している。
【００４６】
前記弁体５５は、前記弁体配置空間７７に配置支持されている。弁体５５は、弁体配置空間７７内でベーン５１に密接し、中間部が通路７５を覆うように閉じている。
【００４７】
本実施例では、図１で示すディスプレイ部３が本体部２に対する閉じ状態において、図９のように、弁体５５の中間部がベーン５１に接し通路７５を閉塞している。
【００４８】
ディスプレイ部３が回動すると、シャフト９Ａと共に小径部５７が図９の矢印Ｃの方向へ回転する。この回転では、小径部５７の係合突部５９を介し、ベーン５１の係合凹部６１が力を受けてベーン５１がシャフト９Ａと同方向へ旋回移動する。
【００４９】
この旋回移動で、ベーン５１は、ダンパー室３２Ａの内周面６９に沿って圧力室６３側へ移動し、圧力室６３側の内圧が上昇し、弁体５５に作用する。この圧力の作用により弁体５５は、ベーン５１に密着し、通路７５を閉塞することで流体通路５３が閉じられる。
【００５０】
従って、流体圧力によりダンピング作用が働き、図１のディスプレイ部３を静かに跳ね上げ回動させることができる。
【００５１】
ディスプレイ部３を上昇位置に戻すときは、小径部５７が図９の矢印Ｄの方向へ回転する。この回転によりベーン５１は、ダンパー室３２Ａの内周面６９に沿って非圧力室６５側へ移動し、非圧力室６５側の容積減少により非圧力室６５側のシリコン・オイルが流体通路５３の通路７３から流通凹部６１、通路７５を経て相対的に移動する。このシリコン・オイルの移動により、弁体５５に粘性流体の圧力が作用し、弁体５５の中間部が自らの弾性力に抗して弁体配置空間７７内で通路７９側、すなわち圧力室６３側へ湾曲して変位し、流体通路５３が開かれる。
【００５２】
従って、シリコン・オイルが通路７５から弁体５５の幅方向両側（図９では、上下方向両側）を通り、通路７９から圧力室６３側へ流入し、流体通路５３により非圧力室６５側から圧力室６３側へ流体を流通させることができる。
【００５３】
従って、シャフト９Ａは空転状態であり、ディスプレイ部３を元の閉じ状態へ無理なく戻すことができる。
【００５４】
こうして、本実施例においても、オイル・ダンパー範囲Ａでは、ダンピングを働かせてディスプレイ部３を滑らかに自然に回動させ、フリー・ストップ範囲Ｂでは、ディスプレイ部３を任意の位置に位置決めることができ、極めて便利である。
【実施例３】
【００５５】
図１０〜図１４は、本発明の実施例３に係り、図１０は、フリー・ストップ装置の断面図、図１１は、図１０のＸＩ−ＸＩ線矢視における断面図、図１２は、図１０のＸＩＩ−ＸＩＩ線矢視における図３に対応したオイル・ダンパー範囲での断面図、図１３は、図１０のＸＩＩ−ＸＩＩ線矢視における図４に対応したフリー・ストップ範囲での断面図、図１４は、図１０のＸＩＶ−ＸＩＶ線矢視における断面図である。なお、基本的な構造は実施例２と同様であり、同一又は対応した構成部分には同符号又は同符号にＢを付し、或いは同符号のＡをＢに代えて説明する。
【００５６】
本実施例のフリー・ストップ装置５Ｂは、いわゆるダブル弁タイプとしたものであり、オイル・ダンパー範囲Ａ及びフリー・ストップ範囲Ｂを合わせた回転ストロークは、例えば１２０°程度と小さいが、ディスプレイ部３の回動の抵抗となるトルクを増大できるか、同程度のトルクであれば小型化が可能なものである。他の構造は実施例２と同様であり、実施例１同様にディスプレイ部３の動作制御に適用されている。
【００５７】
図１０、図１１のように、本実施例では、シャフト９Ｂが、フリー・ストップ構造１０Ｂ側の第１のシャフト部８１と回転ダンパー構造１１Ｂ側の第２のシャフト部８３とに分離され、第１のシャフト部８１の矩形断面の結合軸部８５を第２のシャフト部８３の矩形断面の結合穴部８７に着脱可能に嵌合させている。回転支持部２９Ｂは、第２のシャフト部８３側に設けられ、第２のシャフト部８３の段部８９と第１のシャフト部８１のフランジ部９１との間に凹部３０Ｂが設けられている。
【００５８】
前記フリー・ストップ構造１０Ｂは、図１０，図１２，図１３のように、第１のシャフト８１のピン支持部３３Ｂに太鼓状断面部９３を設け、この太鼓状断面部９３に一対の端板９５，９７を着脱可能に嵌合結合することで支持凹部３５Ｂを形成している。端板９７とキャップ１７Ｂとの間には、ワッシャ９９が介設されている。
【００５９】
前記回転ダンパー構造１１Ｂは、図１０，図１４のように、ダブル弁構造であり、図示は簡略表示しているが、図９と同様な構造の弁構造１０１が一対備えられている。
【００６０】
従って、本実施例でも、オイル・ダンパー範囲Ａでは、図１０，図１２，図１４のように回転ダンパー構造１１Ｂがダンピングを働かせてディスプレイ部３を滑らかに回動させ、フリー・ストップ範囲Ｂでは、図１０，１３のようにフリー・ストップ構造１０Ｂによりディスプレイ部３を任意の位置に位置決めることができ、極めて便利である。
【図面の簡単な説明】
【００６１】
【図１】ノート型パソコンに係り、（ａ）は動作状態を併せて示す側面図、（ｂ）は、平面図である（実施例１）。
【図２】フリー・ストップ装置の断面図である（実施例１）。
【図３】図２のＩＩＩ−ＩＩＩ線矢視におけるオイル・ダンパー範囲での断面図である（実施例１）。
【図４】図２のＩＩＩ−ＩＩＩ線矢視におけるフリクション範囲での断面図である（実施例１）。
【図５】図２のＶ−Ｖ線矢視断面図である（実施例１）。
【図６】図２のＩＩＩ−ＩＩＩ線矢視におけるオイル・ダンパー範囲での図３に対応した断面図である（実施例１の変形例）。
【図７】図２のＩＩＩ−ＩＩＩ線矢視におけるフリクション範囲での図４に対応した断面図である（実施例１の変形例）。
【図８】フリー・ストップ装置の断面図である（実施例２）。
【図９】図８のＩＸ−ＩＸ線矢視における図５に対応したオイル・ダンパー範囲での断面図である（実施例２）。
【図１０】フリー・ストップ装置の断面図である（実施例３）。
【図１１】図１０のＸＩ−ＸＩ線矢視における断面図である（実施例３）。
【図１２】図１０のＸＩＩ−ＸＩＩ線矢視における図３に対応したオイル・ダンパー範囲での断面図である（実施例３）。
【図１３】図１０のＸＩＩ−ＸＩＩ線矢視における図４に対応したフリー・ストップ範囲での断面図である（実施例３）。
【図１４】図１０のＸＩＶ−ＸＩＶ線矢視における断面図である（実施例３）。
【符号の説明】
【００６２】
１  ノート型パソコン
２  本体部（固定側）
３  ディスプレイ部（回転体）
５，５Ａ，５Ｂ  フリー・ストップ装置
７，７Ａ，７Ｂ  ケース
９，９Ａ，９Ｂ  シャフト
１１，１１Ａ，１１Ｂ  回転ダンパー構造
２１  凹領域
２３  凸領域
３７  ウレタンピン（弾性体）
【図１】
2007024289.tif 000003
【図２】
2007024289.tif 000004
【図３】
2007024289.tif 000005
【図４】
2007024289.tif 000006
【図５】
2007024289.tif 000007
【図６】
2007024289.tif 000008
【図７】
2007024289.tif 000009
【図８】
2007024289.tif 000010
【図９】
2007024289.tif 000011
【図１０】
2007024289.tif 000012
【図１１】
2007024289.tif 000013
【図１２】
2007024289.tif 000014
【図１３】
2007024289.tif 000015
【図１４】
2007024289.tif 000016